【手続補正書】
【提出日】平成17年7月8日(2005.7.8)
【手続補正１】
【補正対象書類名】明細書
【補正対象項目名】全文
【補正方法】変更
【補正の内容】
【書類名】明細書
【発明の名称】吸収要素下方に起立起線を有する生理用ナプキン
【特許請求の範囲】
【請求項１】使用面がわから裏面側にかけて；使用面側から体液を受け入れて内部に保持する吸収要素と、
少なくとも長手方向中間において、前記吸収要素の裏面側にあって、前記吸収要素より幅広のギャザーフラップシートを有し、このギャザーフラップシートの両側縁が前記吸収要素の両側縁より幅方向外方にそれぞれ延在し、その延在部分において弾性伸縮部材を有するギャザーフラップと、
前記吸収要素から裏面側への体液の漏れを防止する漏れ防止シートとを順に備え：
前記ギャザーフラップシートは前記漏れ防止シート上に対して固定され、前記ギャザーフラップシートの両側部における、前記吸収要素の側縁より内側の起立起線までの領域が、前記漏れ防止シート上に対してそれぞれ非固定である、
ことを特徴とする生理用ナプキン。
【請求項２】使用面がわから裏面側にかけて；使用面側から体液を受け入れて内部に保持する吸収要素と、
少なくとも長手方向中間において、前記吸収要素の裏面側両側部にあって、前記吸収要素の両側縁より幅方向外方にそれぞれ延在するギャザーフラップシートの延在部分において弾性伸縮部材を有するギャザーフラップと、
前記吸収要素から裏面側への体液の漏れを防止する漏れ防止シートとを順に備え：
前記各ギャザーフラップシートは、前記漏れ防止シート上に対して重ね合わせ状態で固定され、前記吸収要素の側縁より内側の起立起線において折り返され、前記吸収要素の両側縁より幅方向外方に延在しており、かつ、前記折り返し領域におけるギャザーフラップシート相互が非固定である、
ことを特徴とする生理用ナプキン。
【請求項３】前記漏れ防止シートは、前記ギャザーフラップの両側縁位置より幅方向外方に延在している請求項１または２記載の生理用ナプキン。
【請求項４】前記各ギャザーフラップシートは、前記漏れ防止シート上に対して重ね合わせ状態で固定され、製品の中央側において複数回折り返され、最終の折り返し部分が前記吸収要素の両側縁位置より幅方向外方に延在している請求項２または３記載の生理用ナプキン。
【請求項５】前記両側の起立起線間の中央領域は、前記吸収要素と前記漏れ防止シートとが固定関係にない離縁領域とされている請求項２または３記載の生理用ナプキン。
【請求項６】ギャザーフラップを構成するシートが体液阻止性を有する材料からなる請求項１〜５のいずれか１項に記載の生理用ナプキン。
【発明の詳細な説明】
【０００１】
【発明の属する技術分野】
本発明は、ギャザーフラップを有しかつ吸収要素下方に起立起線を有する生理用ナプキンに関する。
【０００２】
【従来の技術】
生理用ナプキンにおいて、体液の横漏れ防止を図ることはきわめて重要である。このために、特公平７−７１５７０号公報には、両側にギャザーフラップを形成し、このギャザーフラップにて体液の横漏れを堰き止めるようにしたものが開示されている。
【０００３】
【発明が解決しようとする課題】
しかし、この先行例では、ギャザーフラップの収縮により、吸収体の長手方向に関しては、舟形に変形させるものの、幅方向に関してはほとんど変形力が作用しない。したがって、吸収体の両側部に横漏れ防止機能はなく、専らギャザーフラップのみで体液の横漏れを防止するものである。
【０００４】
これではギャザーフラップは肌に接するものの、吸収体が肌と離れることがあり、その結果、吸収性が阻害される。
【０００５】
また、ナプキンはバックシート（吸収体から裏面への体液の漏れを防止するシート）の裏面に塗布した粘着剤を介してショーツに対して固定するが、吸収体の裏面全体がバックシートに固定されていると、ショーツの動きに伴って吸収体も動くため、吸収体の使用面が肌と離間し、体液の吸収がなされず、漏れが生じがちである。
【０００６】
したがって、本発明の主たる課題は、吸収要素の両側部をギャザーフラップにて裏面側から使用面側に持ち上げ、もって、少なくともその両側部を常に体にフィットさせ、横漏れを防止しつつ吸収要素内部への吸収性を高め、仮にその両側部から横漏れを生じた場合には、ギャザーフラップにて最終的に横漏れを防止することとし、かくして二重の横漏れ防止機能を付与することにある。他の課題は、バックシートに拘束されることなくギャザーフラップを確実に起立させることにより、吸収要素の両側部を裏面側から使用面側に持ち上げることにある。
【０００７】
【課題を解決するための手段】
上記課題を解決した本発明は次記のとおりである。
【０００８】
＜請求項１記載の発明＞
使用面がわから裏面側にかけて；使用面側から体液を受け入れて内部に保持する吸収要素と、
少なくとも長手方向中間において、前記吸収要素の裏面側にあって、前記吸収要素より幅広のギャザーフラップシートを有し、このギャザーフラップシートの両側縁が前記吸収要素の両側縁より幅方向外方にそれぞれ延在し、その延在部分において弾性伸縮部材を有するギャザーフラップと、
前記吸収要素から裏面側への体液の漏れを防止する漏れ防止シートとを順に備え：
前記ギャザーフラップシートは前記漏れ防止シート上に対して固定され、前記ギャザーフラップシートの両側部における、前記吸収要素の側縁より内側の起立起線までの領域が、前記漏れ防止シート上に対してそれぞれ非固定である、
ことを特徴とする生理用ナプキンである。
【０００９】
（作用効果）
Ａ．吸収要素は使用面側から体液を受け入れて内部に保持するが、裏面側には漏れ防止シートにより透過しない。
Ｂ．ギャザーフラップは、吸収要素の側縁より幅方向外方に延在したギャザーフラップシートの延在部分に弾性伸縮部材を有するので、その収縮力により使用面側に起立するようになる。このギャザーフラップが最終的な横漏れ防止用バリヤーカフスを構成する。
Ｃ．ギャザーフラップの起立により、吸収要素の両側部または全体が裏面側から使用面側に持ち上げられる。その結果、少なくともその両側部が常に体にフィットし、横漏れを防止しつつ吸収要素内部への吸収性を高める。仮にその両側部から横漏れを生じた場合には、ギャザーフラップにて最終的に横漏れを防止する。
Ｄ．ギャザーフラップシートは漏れ防止シート上に対して固定され、ギャザーフラップシートの両側部における、吸収要素の側縁より内側の起立起線までの領域が、漏れ防止シート上に対してそれぞれ非固定であることにより、すなわち、吸収要素下方に起立起線を有することで、漏れ防止シートをショーツに固定したとしても、ギャザーフラップがその側縁から起立起線までの領域が、起立起線を介して裏面側の漏れ防止シートに拘束されることなく確実に起立するため、前記Ｃの作用効果が顕著に発揮される。
Ｅ．漏れ防止シート全体をギャザーフラップシートで覆っているので、ナプキンの使用後において、製品裏面から見たときギャザーフラップシートの存在により、吸収した体液が色的に目立たず、もって使用者からすれば吸収余力があるようにみえ、供給者からの視点で製品の価値が高まる。
【００１０】
＜請求項２記載の発明＞
使用面がわから裏面側にかけて；使用面側から体液を受け入れて内部に保持する吸収要素と、
少なくとも長手方向中間において、前記吸収要素の裏面側両側部にあって、前記吸収要素の両側縁より幅方向外方にそれぞれ延在するギャザーフラップシートの延在部分において弾性伸縮部材を有するギャザーフラップと、
前記吸収要素から裏面側への体液の漏れを防止する漏れ防止シートとを順に備え：
前記各ギャザーフラップシートは、前記漏れ防止シート上に対して重ね合わせ状態で固定され、前記吸収要素の側縁より内側の起立起線において折り返され、前記吸収要素の両側縁より幅方向外方に延在しており、かつ、前記折り返し領域におけるギャザーフラップシート相互が非固定である、
ことを特徴とする生理用ナプキンである。
【００１１】
（作用効果）
上記Ａ〜Ｄと同様の作用効果を奏するほか、次記の作用効果がもたらされる。
Ｆ．ギャザーフラップは疎水または撥水性不織布を用いることが肌の感触を良好にする。他方、漏れ防止シートはポリエチレンなどのプラスチックシートを使用して液漏れを確実に防止するのが望ましいが、プラスチックシートでは肌の感触が悪い。そこで、たとえば不織布シートを用いるギャザーフラップシートを漏れ防止シート上に重ね合わせ状態で固定することにより、プラスチックシートによる感触の悪化を改善できる。
【００１２】
＜請求項３記載の発明＞
前記漏れ防止シートは、前記ギャザーフラップの両側縁位置より幅方向外方に延在している請求項１または２記載の生理用ナプキンである。
【００１３】
（作用効果）
次記の作用効果ももたらされる。
Ｇ．漏れ防止シートは、前記ギャザーフラップの両側縁位置より幅方向外方に延在しているので、仮にギャザーフラップの側縁を越えて体液が外方に漏れたとしても、その延在部分にて体液を止め、ショーツや衣類の汚れを防止できる。
Ｈ．製品の最終工程において、各材料を最終的に積層した段階で、外形を定めるべく両側をカットする必要があるが、ギャザーフラップの両側縁位置に整合して漏れ防止シートをカットすることが困難であるところ、漏れ防止シートをギャザーフラップの両側縁位置より幅方向外方に延在しておき、その延在位置にてカットするようにすることにより、製品化が容易となる。
【００１４】
＜請求項４記載の発明＞
前記各ギャザーフラップシートは、前記漏れ防止シート上に対して重ね合わせ状態で固定され、製品の中央側において複数回折り返され、最終の折り返し部分が前記吸収要素の両側縁位置より幅方向外方に延在している請求項２または３記載の生理用ナプキンである。
【００１５】
（作用効果）
Ｉ．ギャザーフラップシートが、製品の中央側において複数回折り返されていることで、逆に製品の使用面側と裏面側との間にクッション性が付与され、吸収要素の両側部およびギャザーフラップの側縁が常に肌と接触するようになる。
【００１６】
＜請求項５記載の発明＞
前記両側の起立起線間の中央領域は、前記吸収要素と前記漏れ防止シートとが固定関係にない離縁領域とされている請求項２または３記載の生理用ナプキンである。
【００１７】
（作用効果）
Ｊ．前記両側の起立起線間の中央領域は、前記吸収要素と前記漏れ防止シートとが固定関係にない離縁領域とされていることで、漏れ防止シートの裏面に塗布した粘着剤を介してショーツに対して固定したとしても、吸収要素が使用面側に浮き上がり可能であり、この浮き上がりはギャザーフラップの弾性伸縮部材の収縮力により約束されているので、ショーツの動きに伴って吸収体の使用面が肌と離間し、体液の吸収がなされず漏れが生じることを確実に防止することができる。
【００１８】
＜請求項６記載の発明＞
ギャザーフラップを構成するシートが体液阻止性を有する材料からなる請求項１〜５のいずれか１項に記載の生理用ナプキンである。
【００１９】
（作用効果）
Ｋ．ギャザーフラップを構成するシートとして、体液阻止性を有する材料からなるものを用いることにより、横漏れ防止効果が高くなる。ギャザーフラップは一義的には吸収要素の側部起立を図るためのものであり、親水性材料からなるものを使用したとしても、これ自体の横漏れ防止効果は大きくは期待できないものの、吸収要素の側部起立により横漏れを防止することができる。
【００２０】
【発明の実施の形態】
以下本発明の実施の形態を図面を参照しながらさらに詳説する。
【００２１】
＜第１の実施の形態：請求項２記載の発明＞
第１の実施の形態は図１〜図６に示してあり、図１の上側が前である。
【００２２】
本発明の生理用ナプキンは、使用面がわから裏面側にかけて；
使用面側から体液を受け入れて内部に保持する吸収要素１０と、
少なくとも長手方向中間において、前記吸収要素１０の裏面側にあって、前記吸収要素１０の両側縁より幅方向外方にそれぞれ延在し、その延在部分においてたとえば糸ゴムなどからなる弾性伸縮部材２１，２１を有するギャザーフラップ２０と、
前記吸収要素１０から裏面側への体液漏れを防止し、前記吸収要素１０の両側縁位置より幅方向外方に延在している、たとえばポリエチレンシートなどからなる漏れ防止シート３０と、
を順に備える。
【００２３】
吸収要素１０は、使用面側に位置し体液を透過させる、不織布や好適には外面から内面方向には体液を通すが逆戻りを防止する小孔を有するポリエチレンシートを用いた表面シート１１と、透過した体液を受け入れて内部に保持する綿状粉砕パルプおよび必要によりさらにその上下面もしくは全面を包む吸収紙を有する吸収コア１２とを有している。もちろん、高分子吸収ポリマーを含有させることができる。実施の形態では、表面シート１１は、吸収コア１２の使用面および両側面を包み、下面の自由起点４０より中央側に延在して巻き込まれている（いわゆる額巻きされている）。
【００２４】
ギャザーフラップ２０は、好適には疎水性または撥水性などの不織布材料からなり、必要ならば体液不透過性プラスチックシートなども用いることが可能な、体液阻止性を有するシート２２からなる。このギャザーフラップを形成するギャザーフラップシート２２は、漏れ防止シート３０の両側部において、その上に重ね合わせ状態でたとえばホットメルト接着剤により固定され（その固定部分を＊印にて図示している）、製品の中央側において折り返され、折り目２２Ｂを境にして幅方向外方に向かい、その折り返し領域２２Ｃのうち吸収要素１０の側縁より内側の自由起点４０までの部分２２Ｃ１全体または自由起点４０近傍のみが吸収要素１０とホットメルト接着剤などにより固定してあり、この自由起点４０より幅方向外方部分２２Ｃ２は、吸収要素１０と非固定であり、かつ、ギャザーフラップシート２２の重ね合わせ領域においても非固定である。これにより、折り目２２Ｂが本発明の起立起線５０を構成する。
【００２５】
ここで、本発明に従って、図示のように、自由起点４０までの部分２２Ｃ１についても、ギャザーフラップシート２２相互の重ね合わせ領域が非固定であると、ギャザーフラップ２０の折り返し領域２２Ｃ全体が起立起線５０を境にして自由に使用面側に起立することが可能である。
【００２６】
他方、吸収要素１０の少なくとも長手方向中間における、両側縁より内側位置において長手方向に沿って起立助長用エンボス５１，５１が使用面側から形成されている。この起立助長用エンボス５１，５１は、ナプキンの側外方に円弧中心を有する円弧またはほぼ円弧状曲線としてある。さらに、起立助長用エンボス５１，５１前後を繋いで方向に円弧またはほぼ円弧状曲線による繋ぎエンボス５２，５２が形成されている。これらのエンボス５１，５１，５２，５２で閉じられた領域では吸収コア１２が中高とされている。したがって、エンボス５１，５１，５２，５２領域内おいて吸収コア１２の中高部に集中的に吸収を図る構成とされている。
【００２７】
図２はホットメルト接着剤などによる相互の固定部と非固定部との関係を示している。前後端部の固定部としては、表面シート１１と漏れ防止シート３０とが、漏れ防止シート３０とギャザーフラップシート２２とが、ギャザーフラップシート２２の折り返し部分相互が固定されている。前後端部以外の固定部は図３および図４に図示のとおりである。
【００２８】
非固定部としては、図３および図４に図示されているほか、図２の実線のハッチング領域Ｚ１が、ギャザーフラップシート２２の折り重ね部分相互を固定していない領域であり、破線のハッチング領域Ｚ２で示す部分が吸収要素１０とギャザーフラップシート２２とを固定していない領域である。起立起線５０は起立助長用エンボス５１の長手方向中間の幅方向位置とほぼ一致するのが望ましい。
【００２９】
ここで、弾性伸縮部材２１としては、糸ゴムのほか、弾性伸縮性発泡体（たとえば発泡ウレタン）などの採用も可能である。弾性伸縮部材２１は幅方向に複数、たとえば２本とするのが起立・持ち上げ性に優れる。そのギャザーフラップシート２２との接着長さは５０〜１５０ｍｍ、特に８０〜１３０ｍｍが望ましく、伸張率は１１０〜１８０％が望ましい。
【００３０】
ギャザーフラップ２０の吸収要素１０の側縁より延在幅Ｗ１は、５〜３０ｍｍ、特に７〜１５ｍｍが望ましい。ポケット幅Ｗ２は２〜２０ｍｍ、ならびに２２Ｃの幅は２０〜４０ｍｍが望ましい。その長さは５０〜１２０ｍｍが好適である。２２Ｃ２の幅は１０〜３０ｍｍが好適である。起立起線５０と起立助長用エンボス５１の長手方向中間の幅方向位置との離間幅Ｗ３は０〜１０ｍｍが望ましく、特に０〜３ｍｍが特に望ましい
【００３１】
かかる構成の下で、本発明のナプキンを装着する場合には、漏れ防止シート３０の裏面（表面）に設けた粘着剤（図示せず）をショーツ内面に当てて仮止めするとともに、ウイング部３１をショーツの外面に巻き込み粘着剤（図示せず）により仮固定する。
【００３２】
装着状態を概念的に図５および図６に示した。ナプキンは前後方向に股間部に沿って湾曲する。このとき、弾性伸縮部材２１，２１の収縮力により、ギャザーフラップ２０の側部が起立する。このギャザーフラップ２０は、吸収要素１０の側縁より幅方向外方に延在した延在部分に弾性伸縮部材２１を有するので、その収縮力により使用面側に起立するようになる。したがって、ギャザーフラップ２０が最終的な横漏れ防止用バリヤーカフスを構成する。しかも、ギャザーフラップ２０の起立により、吸収要素１０の両側部が裏面側から使用面側に持ち上げられる。その結果、少なくともその両側部が常に体にフィットし、横漏れを防止しつつ吸収要素１０内部への吸収性を高める。仮にその両側部から横漏れを生じた場合には、ギャザーフラップ２０にて最終的に横漏れを防止する。
【００３３】
好適な形態として、図示のように、ギャザーフラップ２０は、吸収要素１０の側縁より内側位置において自由起点４０を有し、この自由起点４０より幅方向外方部分は吸収要素１０と非固定である。しかるに、ナプキンの装着時において吸収要素１０は股間部に沿って前後方向に湾曲する際に、ギャザーフラップ２０のギャザーフラップシート２２により吸収要素１０の側部を拘束していないため、吸収要素１０の側部は吸収要素１０の湾曲変形に伴って独立して使用面側へ起立変形し、ギャザーフラップ２０も独立して起立変形する。したがって、激しい運動によっても、吸収要素１０の側部およびギャザーフラップ２０の側縁のいずれかが肌と接触するようになり、横漏れ防止効果が高い。
【００３４】
さらに、吸収要素１０の裏面において、吸収要素１０の側縁から自由起点４０までの部分がギャザーフラップ２０の使用面との間にポケットＰが形成されるので、仮に吸収要素１０の側縁を体液が越えたとしても、そのポケットＰに体液が一時的に留まる過程で吸収要素１０に吸収されるから、ギャザーフラップ２０の起立縁まで達することが少ない。
【００３５】
また、ギャザーフラップ２０の自由起点４０より幅方向外方部分は、吸収要素１０と非固定であるほか、ギャザーフラップシート２２相互の重ね合わせ部分が非固定であり、したがって漏れ防止シート３０と無関係としてあるので、漏れ防止シート３０のたとえばウイング部３１の衣類の外面への折り返し固定とは関係させずに、ギャザーフラップ２０を自由に起立させることができる。
【００３６】
この際、本発明によれば、吸収要素１０の側縁より内側の起立起線５０において折り返され、この折り返し領域２２Ｃにおけるギャザーフラップシート２２相互が非固定であるから、ギャザーフラップ２０の折り返し領域２２Ｃ全体が自由に使用面側に起立するので、ギャザーフラップ２０および吸収要素１０の側部の起立が円滑かつ確実である。
【００３７】
ここで、起立助長用エンボス５１，５１を形成すると、ギャザーフラップ２０の収縮により、吸収要素１０の側部は、起立助長用エンボス５１，５１に沿って確実に起立するようになるため、これに要するギャザーフラップ２０の弾性伸縮部材の収縮力が小さいもので足り、もって肌との接触力も小さくなり、快適なものとなる。
【００３８】
＜第２の実施の形態：請求項１記載の発明＞
上記第１の実施の形態においては、ギャザーフラップ２０を左右の二枚のギャザーフラップシート２２で構成した。これに対して、図７に示すように、吸収要素１０より幅広の一枚のギャザーフラップシート２２０により形成することができる。この場合において、漏れ防止シート３０は単一のプラスチックシートのほか、必要により漏れ防止シート３０のポリエチレンにその使用面側に不織布をラミネートしたものを用いることもできる。
【００３９】
この第２の実施の形態では、漏れ防止シート３０全体をギャザーフラップシート２２０で覆っているので、ナプキンの使用後において、製品裏面から見たときギャザーフラップシート２２０の存在により、吸収した体液が色的に目立たず、もって使用者からすれば吸収余力があるようにみえ、供給者からの視点で製品の価値が高まる。
【００４０】
＜第３の実施の形態＞
図８は他の形態を示したもので、両側部に個別ギャザーフラップシート２２を折り返しなしで配置したもので、しかも、自由起点４０，４０より内方の幅領域を漏れ防止シート３０と固定したものである。
【００４１】
＜第４の実施の形態＞
図９はさらに他の形態を示したもので、各ギャザーフラップシート２２は、漏れ防止シート３０上に対して重ね合わせ状態で固定され、製品の中央側において複数回折り返され、最終の折り返し部分が吸収要素１０の両側縁位置より幅方向外方に延在しているものである。
【００４２】
これにより、ギャザーフラップシート２２が、製品の中央側において複数回折り返されていることで、逆に製品の使用面側と裏面側との間にクッション性が付与され、吸収要素１０の両側部およびギャザーフラップ２０の側縁が常に肌と接触するようになる
【００４３】
＜第５の実施の形態＞
上記各例は図示のように、両側の起立起線５０，５０間の中央領域においても、吸収要素１０と漏れ防止シート３０とを固定しているが、図１０に示すように、吸収要素１０と漏れ防止シート３０とが固定関係にない離縁領域Ｘとすることができる。離縁領域Ｘを形成する折り目２２Ｂ，２２Ｂ間長さは２０〜５０ｍｍが望ましい。
【００４４】
かくして、離縁領域Ｘが形成されているため、漏れ防止シート３０をその裏面の粘着剤を介してショーツに固定しても、ギャザーフラップ２０の弾性伸縮部材２１の収縮力により吸収要素１０が浮き上がり、もって吸収要素１０は常に肌にフィットするようになる。しかも、装着者の運動により吸収要素１０に対して幅方向にずれたり撚れたりする力が作用しても、股間において吸収要素１０が良好に追従することが可能である。
【００４５】
この場合、図示のように、起立起線５０より外側において、吸収要素１０とギャザーフラップシート２２との固定部位を取るのが望ましい。
【００４６】
＜その他の実施の形態＞
図８に示すように、吸収要素１０の両側部に弾性伸縮部材２３，２３を設け、起立性をより高めることができる。自由起点４０を設けることなく、吸収要素１０とギャザーフラップシート２２との重ね合わせ部分全体が固定されていてもよい。は材料の選択を含めた他の実施の形態は、本発明の範囲内で適宜採用できる。
【００４７】
【発明の効果】
以上のとおり、本発明によれば、吸収要素の両側部をギャザーフラップにて裏面側から使用面側に持ち上げ、もって、少なくともその両側部を常に体にフィットさせ、横漏れを防止しつつ吸収要素内部への吸収性を高め、仮にその両側部から横漏れを生じた場合には、ギャザーフラップにて最終的に横漏れを防止することとし、かくして二重の横漏れ防止機能を付与することができる。
また、バックシートに拘束されることなくギャザーフラップを確実に起立させることにより、吸収要素の両側部を裏面側から使用面側に持ち上げることができ、上記の効果が顕在化する。
【図面の簡単な説明】
【図１】
本発明の生理用ナプキンの使用面側からの平面図である。
【図２】
固定および非固定部分の説明図である。
【図３】
図１の３−３線矢視図である。
【図４】
その要部拡大断面図である。
【図５】
使用状態の要部拡大断面図である。
【図６】
使用状態の斜視図である
【図７】
第２の実施の形態の要部拡大断面図である。
【図８】
第３の実施の形態の要部拡大断面図である。
【図９】
第４の実施の形態の要部拡大断面図である。
【図１０】
第５の実施の形態の要部拡大断面図である。
【符号の説明】
１０…吸収要素、１１…表面シート、１２…吸収コア、２０…ギャザーフラップ、２１…弾性伸縮部材、２２…ギャザーフラップシート、３０…漏れ防止シート、３１…ウイング部、４０…自由起点、５０…起立起線。